(57)【要約】【課題】生育室内に空気ファンを設けないで、簡単な構成で風の対流を生育室内に形成することが可能な植物育成装置を提供する。【解決手段】植物生育装置１は、植物を収容する生育室３０と、空気導入通路４０と、空気排出通路５０と、空気導入通路４０を形成する第１の外壁１２と、空気排出通路５０を形成する第２の外壁１３と、生育室３０と空気導入通路４０との間に配置された第１の隔壁６０と、生育室３０と空気排出通路５０との間に配置された第２の隔壁７０とを備え、第１の開口群８０が第１の外壁１２に形成され、第２の開口群９０が生育室３０の一方側に位置する第１の隔壁６０の部分に形成され、第３の開口群１００が生育室３０の一方側と反対側に位置する第２の隔壁７０の部分に形成され、ファン１３４が生育室３０の一方側に位置する第２の外壁１３の部分に配置されている。【選択図】図１
2012055170.tif 000002
【特許請求の範囲】
【請求項１】
生育される植物を収容する生育室と、
外部から導入された空気を流通させる空気導入通路と、
前記生育室から排出された空気を流通させる空気排出通路と、
前記空気導入通路を形成する第１の外壁と、
前記空気排出通路を形成する第２の外壁と、
前記生育室と前記空気導入通路との間に配置された第１の隔壁と、
前記生育室と前記空気排出通路との間に配置された第２の隔壁と、
を備え、
前記第１の外壁には、前記空気導入通路と外部との間を連通する複数の開口を含む第１の開口群が形成され、
前記第２の外壁には、前記空気排出通路内の空気を外部に排出するファンが設けられ、
前記第１の隔壁には、前記生育室と前記空気導入通路との間を連通する複数の開口を含む第２の開口群が形成され、
前記第２の隔壁には、前記生育室と前記空気排出通路との間を連通する複数の開口を含む第３の開口群が形成され、
前記第２の開口群が、前記生育室の一方側に位置する前記第１の隔壁の部分に形成され、
前記第３の開口群が、前記生育室の一方側と反対側に位置する前記第２の隔壁の部分に形成され、
前記ファンが、前記生育室の一方側に位置する前記第２の外壁の部分に配置されている、
植物生育装置。
【請求項２】
前記第２の開口群の開口面積が、前記第１の開口群の開口面積よりも小さい、請求項１に記載の植物生育装置。
【請求項３】
前記第１の外壁は、当該植物生育装置の筺体を形成する底壁であり、
前記第１の開口群が、前記底壁の中央部に配置されている、請求項１または請求項２に記載の植物生育装置。
【請求項４】
前記第２の外壁は、当該植物生育装置の筺体を形成する側壁である、請求項３に記載の植物生育装置。
【請求項５】
前記生育室に収容される植物を出し入れする扉をさらに備え、
前記第１の隔壁が、前記扉に対向する側壁であり、
前記第２の隔壁が、前記生育室の天井壁であり、
前記第３の開口群は、前記扉に近い側に位置する前記天井壁の部分に配置されている、請求項４に記載の植物生育装置。
【請求項６】
前記空気排出通路には光源が配置され、前記第２の隔壁の一部分が光透過性壁からなり、前記光源が前記生育室に収容される植物に前記光透過性壁を通じて光を与える、請求項１から請求項５までのいずれか１項に記載の植物生育装置。
【発明の詳細な説明】
【技術分野】
【０００１】
本発明は、一般的には植物生育装置に関し、特定的には家庭または実験において使用される植物生育装置に関するものである。
【背景技術】
【０００２】
従来から、植物生育装置として、たとえば、複数の育苗棚を備えた育苗装置が、特開２００２‐２９１３４９号公報（以下、特許文献１という）、特開２００３‐５２２５３号公報（以下、特許文献２という）等に開示されている。この育苗装置では、閉鎖型構造物の内部空間に配置された空気ファンで温風の対流を強制的に形成することにより、各育苗棚内の雰囲気温度を調節する。
【先行技術文献】
【特許文献】
【０００３】
【特許文献１】特開２００２‐２９１３４９号公報
【特許文献２】特開２００３‐５２２５３号公報
【発明の概要】
【発明が解決しようとする課題】
【０００４】
しかしながら、特許文献１と２に開示された従来の育苗装置では、温風の対流を強制的に形成するために、植物の生育室としての閉鎖型構造物の内部空間に複数の空気ファンを設置する必要がある。このため、装置の構成が複雑になるという問題がある。
【０００５】
そこで、本発明の目的は、生育室内に空気ファンを設けないで、簡単な構成で風の対流を生育室内に形成することが可能な植物生育装置を提供することである。
【課題を解決するための手段】
【０００６】
本発明に従った植物生育装置は、生育室と、空気導入通路と、空気排出通路と、第１の外壁と、第２の外壁と、第１の隔壁と、第２の隔壁とを備える。生育室は、生育される植物を収容する。空気導入通路は、外部から導入された空気を流通させる。空気排出通路は、生育室から排出された空気を流通させる。第１の外壁は、空気導入通路を形成する。第２の外壁は、空気排出通路を形成する。第１の隔壁は、生育室と空気導入通路との間に配置されている。第２の隔壁は、生育室と空気排出通路との間に配置されている。第１の外壁には、空気導入通路と外部との間を連通する複数の開口を含む第１の開口群が形成されている。第２の外壁には、空気排出通路内の空気を外部に排出するファンが設けられている。第１の隔壁には、生育室と空気導入通路との間を連通する複数の開口を含む第２の開口群が形成されている。第２の隔壁には、生育室と空気排出通路との間を連通する複数の開口を含む第３の開口群が形成されている。第２の開口群が、生育室の一方側に位置する第１の隔壁の部分に形成されている。第３の開口群が、生育室の一方側と反対側に位置する第２の隔壁の部分に形成されている。ファンが、生育室の一方側に位置する第２の外壁の部分に配置されている。
【０００７】
本発明の植物生育装置では、生育室と空気導入通路との間を連通する複数の開口を含む第２の開口群が、生育室の一方側に位置する第１の隔壁の部分に形成されている。また、生育室と空気排出通路との間を連通する複数の開口を含む第３の開口群が、生育室の一方側と反対側に位置する第２の隔壁の部分に形成されている。さらに、ファンが、生育室の一方側に位置し、空気排出通路を形成する第２の外壁の部分に配置されている。なお、第１の外壁には、空気導入通路と外部との間を連通する複数の開口を含む第１の開口群が形成されている。
【０００８】
このように構成されているので、第１の開口群を通じて外部から空気導入通路に導入された空気は、生育室の一方側に位置する第２の開口群を通じて、生育室内に供給される。生育室内に供給された空気は、生育室の一方側と反対側に位置する第３の開口群を通じて、生育室の外の空気排出通路に排出される。そして、空気排出通路に排出された空気は、生育室の一方側に位置するファンによって、空気排出通路の外に排出される。
【０００９】
これにより、生育室内に空気ファンを設けないで、簡単な構成で風の対流を生育室内に形成することができる。したがって、生育室内に空気ファンを設けないで、生育室内の温度を均一化することが可能となる。
【００１０】
また、生育室内に空気ファンを設けて、生育室内に風の対流を形成する場合と比べて、生育室内の温度と外気温との温度差を小さくすることができる。これにより、ある種のトマト、葉野菜等の生育を良好にすることができる。
【００１１】
本発明の植物生育装置において、第２の開口群の開口面積が、第１の開口群の開口面積よりも小さいことが好ましい。
【００１２】
このように構成することにより、第１の開口群を通じて外部から空気導入通路に導入された空気は、オリフィス効果によって流速が高められて、生育室の一方側に位置する第２の開口群を通じて、生育室内に急速に供給される。これにより、生育室内で風の対流をより効果的に形成することができる。
【００１３】
また、本発明の植物生育装置において、第１の外壁は、当該植物生育装置の筺体を形成する底壁であり、第１の開口群が、底壁の中央部に配置されていることが好ましい。
【００１４】
さらに、本発明の植物生育装置において、第２の外壁は、当該植物生育装置の筺体を形成する側壁であることが好ましい。
【００１５】
さらにまた、本発明の植物生育装置は、生育室に収容される植物を出し入れする扉をさらに備え、第１の隔壁が、扉に対向する側壁であり、第２の隔壁が、生育室の天井壁であり、第３の開口群は、扉に近い側に位置する天井壁の部分に配置されていることが好ましい。
【００１６】
以上のように構成することにより、筐体の底壁の中央部に配置された第１の開口群を通じて外部から導入された空気は、扉に対向する側壁に配置された第２の開口群を通じて、生育室内に供給される。生育室内に供給された空気は、扉に近い側に位置する天井壁の部分に配置された第３の開口群を通じて、生育室の外の空気排出通路に排出される。そして、空気排出通路に排出された空気は、筐体の側壁に配置されたファンによって、空気排出通路の外に排出される。
【００１７】
これにより、生育室内に空気ファンを設けないで、簡単な構成で、ほぼＳ字カーブの風の対流を生育室内に形成することができる。したがって、生育室内に空気ファンを設けないで、生育室内の温度をより均一化することが可能となる。
【００１８】
なお、本発明の植物生育装置において、空気排出通路には光源が配置され、第２の隔壁の一部分が光透過性壁からなり、光源が生育室に収容される植物に光透過性壁を通じて光を与えることが好ましい。
【００１９】
このようにすることにより、簡単な構成で、風の対流を生育室内に形成することができ、生育室内に空気ファンを設けないで、生育室内の温度を均一化することができるとともに、生育室内の植物が光合成を行うために必要な光を照射することができる。
【発明の効果】
【００２０】
以上のように本発明によれば、簡単な構成で風の対流を生育室内に形成することができるので、生育室内に空気ファンを設けないで、生育室内の温度を均一化することが可能となる。
【図面の簡単な説明】
【００２１】
【図１】本発明の一つの実施の形態に従った植物生育装置の概略的な構成を示す概略縦断面図である。
【図２】図１の矢印ＩＩの方向から見た生育室の天井壁を示す平面図である。
【図３】図１の矢印ＩＩＩの方向から見た生育室の内側壁を示す平面図である。
【図４】図１の矢印ＩＶの方向から見た筐体の外底壁を示す平面図である。
【図５】図４の底壁に形成された開口群の構成を示す図である。
【図６】図１の植物生育装置を構成する生育室において温度の測定位置（水平方向）を示す図である。
【図７】図１の植物生育装置を構成する生育室において温度の測定位置（垂直方向）を示す図である。
【発明を実施するための形態】
【００２２】
以下、本発明の実施の形態を図面に基づいて説明する。なお、本発明の植物生育装置は以下で説明される実施の形態に限定されるものではない。
【００２３】
図１に示すように、植物生育装置１は、筐体１０と、筐体１０の開口１１に取り付けられた扉２０とを備える。扉２０は、筐体１０の開口１１を開放または閉塞することができるように取り付けられている。なお、筐体１０の外径寸法は、たとえば、幅が３４０ｍｍ、奥行きが３９０ｍｍ、高さが４８５ｍｍである。
【００２４】
また、植物生育装置１の筐体１０は、生育室３０と、空気導入通路４０と、空気排出通路５０と、第１の外壁１２と、第２の外壁１３と、第１の隔壁６０と、第２の隔壁７０とを備える。生育室３０は、生育される植物を収容する。空気導入通路４０は、外部から導入された空気を流通させる。空気排出通路５０は、生育室３０から排出された空気を流通させる。なお、生育室３０は、筐体１０の開口１１と連通する開口を有する。
【００２５】
第１の外壁１２は、外底壁１２１と外側壁１２２とからなり、空気導入通路４０を形成する。第２の外壁１３は、外頂壁１３１と外側壁１３２とからなり、空気排出通路５０を形成する。第１の隔壁６０は、内底壁６１と内側壁６２とからなり、生育室３０と空気導入通路４０との間に配置されている。第２の隔壁７０は、天井壁７１からなり、生育室３０と空気排出通路５０との間に配置されている。一例として、天井壁７１は、透明アクリル樹脂板からなる光透過性壁７１１と、光透過性壁７１１に固着されたアルミニウム板からなる光反射性壁７１２とから構成される。光反射性壁７１２には、二つの光源７２と７３が取り付けられている。また、二つの光源７２と７３が光反射性壁７１２で囲まれるように配置されている。たとえば、二つの光源７２と７３は、電球型蛍光灯である。光源７２と７３としてＬＥＤを用いてもよい。
【００２６】
第１の外壁１２の一部である外底壁１２１には、空気導入通路４０と筐体１０の外部との間を連通する複数の開口を含む第１の開口群８０が形成されている。第２の外壁１３の一部である外側壁１３２には、開口１３３が形成され、空気排出通路５０内の空気を筐体１０の外部に排出するファン１３４が開口１３３に設けられている。第１の隔壁６０の一部分である内側壁６２には、生育室３０と空気導入通路４０との間を連通する複数の開口を含む第２の開口群９０が形成されている。第２の隔壁７０である天井壁７１には、生育室３０と空気排出通路５０との間を連通する複数の開口を含む第３の開口群１００が形成されている。
【００２７】
第２の開口群９０が、生育室３０の一方側（奥側）に位置する第１の隔壁６０の部分として内側壁６２に形成されている。第３の開口群１００が、生育室３０の一方側（奥側）と反対側（扉２０側）に位置する第２の隔壁７０の部分として天井壁７１に形成されている。ファン１３４が、生育室３０の一方側に位置する第２の外壁１３の部分として外側壁１３２に配置されている。
【００２８】
図２に示すように、天井壁７１は、たとえば、幅寸法Ｗが２６０ｍｍ、奥行き寸法Ｄが３００ｍｍの矩形状である。天井壁７１の中央部には、光反射性壁７１２によって凹部７４が形成されている。凹部７４は、たとえば、幅寸法が２００ｍｍ、奥行き寸法が２４０ｍｍの矩形状の平面領域を有する。凹部７４には、互いに対向する光反射性壁部分７１２ａと７１２ｂのそれぞれに光源７２と７３が取り付けられている。光源７２と７３の基準軸７２ａと７３ａは一致していないが、ほぼ平行に延びている。基準軸７２ａと７３ａとの間の距離は、たとえば、１１０ｍｍである。
【００２９】
天井壁７１の扉２０側（図１）には、生育室３０と空気排出通路５０との間を連通する複数の開口、たとえば、７個の円形状の貫通穴１０１からなる第３の開口群１００が形成されている。貫通穴１０１の直径は、たとえば、１５ｍｍである。隣り合う２個の貫通穴１０１の間隔は、たとえば、５ｍｍである。７個の貫通穴１０１の中心線を結ぶ直線は、天井壁７１の扉２０側の端縁から、たとえば、２５ｍｍ離れた位置にある。第３の開口群１００は、天井壁７１の扉２０側だけでなく、光源７２、７３と生育室３０との間に配置された光透過性壁７１１にも形成されていてもよい。
【００３０】
図３に示すように、内側壁６２は、たとえば、幅寸法Ｗが２６０ｍｍ、高さ寸法が３００ｍｍの矩形状である。内側壁６２の下方領域には、生育室３０と空気導入通路４０との間を連通する複数の開口、たとえば、６行×８列の４８個の円形状の貫通穴９１からなる第３の開口群９０が形成されている。貫通穴９１の直径は、たとえば、５ｍｍである。隣り合う２個の貫通穴９１の間隔は、たとえば、１５ｍｍである。
【００３１】
図２と図３に示す寸法から、図１に示す生育室３０の内容積は、たとえば、２６０ｍｍ（Ｗ）×３００ｍｍ（Ｄ）×３００ｍｍ（Ｈ）である。
【００３２】
図４に示すように、外底壁１２１には、空気導入通路４０と筐体１０の外部との間を連通する複数の開口、２４０個のスリット状の貫通穴８１からなる第１の開口群８０が形成されている。
【００３３】
図５の（Ａ）に示すように、貫通穴８１は、幅が２ｍｍ、長さが１６ｍｍのスリット状穴である。６個の貫通穴８１が４ｍｍ間隔で縦方向に並んで配置されることにより、小開口群８２が形成される。
【００３４】
そして、図５の（Ｂ）に示すように、１０個の小開口群８２が横方向に５ｍｍ間隔で並んで配置されることにより、中開口群８３が形成される。
【００３５】
さらに、図５の（Ｃ）に示すように、４個の中開口群８３が縦方向に２０ｍｍ間隔で並んで配置されることにより、２４０個のスリット状の貫通穴８１からなる第１の開口群８０が形成されている。このようにして、第１の開口群８０は、虫が筐体１０の内部に、ひいては、生育室３０の内部に入らないように、多数の小さなスリット状の貫通穴８１からなる。
【００３６】
なお、この実施の形態の例では、第２の開口群９０の開口面積が、第１の開口群８０の開口面積よりも小さい。
【００３７】
以上のように構成された本発明の植物生育装置１では、生育室３０と空気導入通路４０との間を連通する複数の貫通穴９１からなる第２の開口群９０が、生育室３０の一方側に位置する第１の隔壁６０の部分としての内側壁６２に形成されている。また、生育室３０と空気排出通路５０との間を連通する複数の貫通穴１０１からなる第３の開口群１００が、生育室３０の一方側と反対側に位置する第２の隔壁７０の部分としての天井壁７１に形成されている。さらに、ファン１３４が、生育室３０の一方側に位置し、空気排出通路５０を形成する第２の外壁１３の部分としての外側壁１３２に配置されている。なお、第１の外壁１２には、空気導入通路４０と筐体１０の外部との間を連通する複数の貫通穴８１からなる第１の開口群８０が形成されている。
【００３８】
このように構成されているので、図１の二点鎖線の矢印で示すように、第１の開口群８０を通じて外部から空気導入通路４０に導入された空気は、生育室３０の一方側に位置する第２の開口群９０を通じて、生育室３０内に供給される。生育室３０内に供給された空気は、生育室３０の一方側と反対側に位置する第３の開口群１００を通じて、生育室３０の外の空気排出通路５０に排出される。そして、空気排出通路５０に排出された空気は、生育室３０の一方側に位置するファン１３４によって、空気排出通路５０の外に排出される。なお、このとき、扉２０と筐体１０の開口１１との間隙を通じても、図１の二点鎖線の矢印で示すように、少量の空気が生育室３０内に導入されるが、この少量の空気も第３の開口群１００を通じて、生育室３０の外の空気排出通路５０に排出される。
【００３９】
これにより、生育室３０内に空気ファンを設けないで、簡単な構成で風の対流を生育室３０内に形成することができる。したがって、生育室３０内に空気ファンを設けないで、生育室３０内の温度を均一化することが可能となる。
【００４０】
また、生育室３０内に空気ファンを設けて、生育室３０内に風の対流を形成する場合と比べて、生育室３０内の温度と外気温との温度差を小さくすることができる。これにより、ある種のトマト、葉野菜等の生育を良好にすることができる。
【００４１】
本発明の植物生育装置１において、上記の実施の形態のように、第２の開口群９０の開口面積が、第１の開口群８０の開口面積よりも小さいことが好ましい。
【００４２】
このように構成することにより、第１の開口群８０を通じて外部から空気導入通路４０に導入された空気は、オリフィス効果によって流速が高められて、生育室３０の一方側に位置する第２の開口群９０を通じて、生育室３０内に急速に供給される。これにより、生育室３０内で風の対流をより効果的に形成することができる。
【００４３】
また、本発明の植物生育装置１において、上記の実施の形態のように、第１の外壁１２の一部は、植物生育装置１の筺体１０を形成する外底壁１２１であり、第１の開口群８０が、外底壁１２１の中央部に配置されていることが好ましい。
【００４４】
さらに、本発明の植物生育装置１において、上記の実施の形態のように、第２の外壁１３の一部は、植物生育装置１の筺体１０を形成する外側壁１３２であることが好ましい。
【００４５】
さらにまた、本発明の植物生育装置１は、上記の実施の形態のように、生育室３０に収容される植物を出し入れする扉２０をさらに備え、第１の隔壁６０の一部が、扉２０に対向する内側壁６２であり、第２の隔壁７０の一部が、生育室３０の天井壁７１であり、第３の開口群１００は、扉２０に近い側に位置する天井壁７１の部分に配置されていることが好ましい。
【００４６】
以上のように構成することにより、図１の二点鎖線の矢印で示すように、筐体１０の外底壁１２１の中央部に配置された第１の開口群８０を通じて外部から導入された空気は、扉２０に対向する内側壁６２に配置された第２の開口群９０を通じて、生育室３０内に供給される。生育室３０内に供給された空気は、扉２０に近い側に位置する天井壁７１の部分に配置された第３の開口群１００を通じて、生育室３０の外の空気排出通路５０に排出される。そして、空気排出通路５０に排出された空気は、筐体１０の外側壁１３２に配置されたファン１３４によって、空気排出通路５０の外に排出される。
【００４７】
これにより、生育室３０内に空気ファンを設けないで、簡単な構成で、図１の二点鎖線の矢印で示すように、ほぼＳ字カーブの風の対流を生育室３０内に形成することができる。したがって、生育室３０内に空気ファンを設けないで、生育室３０内の温度をより均一化することが可能となる。この場合、たとえば、風速は、光合成が促進されるように、０．３ｍ／秒になるようにすることが好ましい。
【００４８】
なお、本発明の植物生育装置１において、上記の実施の形態のように、空気排出通路５０には光源７２と７３が配置され、第２の隔壁７０の一部分が光透過性壁７１１からなり、光源７２と７３が生育室３０に収容される植物に光透過性壁７１１を通じて光を与えることが好ましい。
【００４９】
このようにすることにより、簡単な構成で、風の対流を生育室３０内に形成することができ、生育室３０内に空気ファンを設けないで、生育室３０内の温度を均一化することができるとともに、生育室３０内の植物が光合成を行うために必要な光を照射することができる。
【実施例】
【００５０】
以下、本発明の一つの効果として、生育室３０内に空気ファンを設けないで、生育室３０内の温度を均一化することができる効果がある。この効果を確認するために、以下の実施例と比較例のように植物生育装置１を構成して、生育室３０内の温度分布を測定した。
【００５１】
（実施例）
【００５２】
本発明の実施例では、上記の実施の形態の一例に従って植物生育装置１を構成した。ファン１３４としては、パナソニック株式会社製の型番ＡＳＥＮ  １００のＡＣ１００Ｖファンを用いた。また、光源７２と７３としては、消費電力が２２Ｗの電球型蛍光灯を用いた。
【００５３】
（比較例）
【００５４】
本発明の比較例では、第１の開口群８０を構成するすべての貫通穴８１と、第２の開口群９０を構成するすべての貫通穴９１と、第３の開口群１００を構成するすべての貫通穴１０１とを塞いで、それぞれ、８０ｍｍ×８０ｍｍの正方形状の開口を有する２個の空気ファンを生育室３０内に設置した。空気ファンの中心位置が生育室３０の内底壁６１から１５０ｍｍ離れた高さの位置で、扉２０に対向する空気ファンの外表面が生育室３０の内側壁６２から５０ｍｍ離れた位置になるように、２個の空気ファンを生育室３０内に設置した。これらの空気ファンは、ミネベア株式会社製の１２Ｖファンを用いた。その他の構成は実施例と同様とした。
【００５５】
以上のように構成された実施例と比較例の植物生育装置１を用いて、電球型蛍光灯を点灯させた状態で、１時間、ウォームアップした後、温度センサを設置し、設定後２分経過した後に、生育室３０内の温度を測定した。実施例の植物生育装置１ではファン１３４を駆動させ、比較例の植物生育装置１ではファン１３４と生育室３０内に設置した空気ファンとを駆動させた。
【００５６】
温度測定位置は、図６に示すように生育室３０の水平方向では丸印の１〜５の５箇所、図７に示すように生育室３０の垂直方向では丸印の上、中、下の３箇所として、合計１５箇所の位置に温度センサを設置した。温度センサは、鶴賀電機株式会社製の型番ＤＥ３０５、熱電対  クラス２（確度±０．２℃）を用いた。なお、植物生成装置１を設置した室内の温度である外気温は２３．４℃±０．１℃、湿度は６５％±２％であった。
【００５７】
生育室３０内の各測定位置における温度測定結果を、実施例については表１に示し、比較例については表２に示す。また、生育室３０内の上下位置の温度差と、生育室３０内の温度と室温との温度差（最大と最小）とを、実施例については表３に示し、比較例については表４に示す。
【００５８】
【表１】
2012055170.tif 000003
【００５９】
【表２】
2012055170.tif 000004
【００６０】
【表３】
2012055170.tif 000005
【００６１】
【表４】
2012055170.tif 000006
【００６２】
これらの測定結果から、実施例のように生育室３０内にファンを設けなくても、生育室３０内の温度差（表３の「上〜下の温度差」の「１〜５の平均」）が１．３℃程度であるので、生育室３０内の温度を均一化することが可能となる。また、実施例では、表３に示すように、生育室３０内の温度と室温との温度差を０．９〜２．２℃程度にすることができる。これにより、ある種のトマト、葉野菜等の生育を良好にすることができる。
【００６３】
これに対して、比較例のように生育室３０内にファンを設けた場合には、生育室３０内の温度差（表４の「上〜下の温度差」の「１〜５の平均」）を０．６℃程度と１℃以下に小さくすることができるが、表４に示すように、生育室３０内の温度と室温との温度差が３．１〜３．７℃程度と大きくなる。この場合、ある種のトマト、葉野菜等を苗から生育させると、開花するが、実ができないという問題がある。
【００６４】
また、上述のように構成された実施例と比較例の植物生育装置１を用いて、カネコ種苗株式会社製のサラダミズ菜（ＫＳ１００）の種を生育室３０内に収容して生育実験を行った。植物生育装置１は室温２０℃に維持された室内に設置した。種にはＥＣ１．６の栄養剤を３日おきに同量投与した。そして、種蒔き後、１５日間経過した後の生育状態を比較した。なお、電球型蛍光灯を一日当たり、１６時間点灯し、８時間消灯した。電球型蛍光灯を点灯させた期間を明期、消灯させた期間を暗期とすると、実施例では生育室３０内の温度が、明期のとき約２４℃、暗期のとき約２２℃であり、比較例では生育室３０内の温度が、明期のとき約２６℃、暗期のとき約２２℃であった。
【００６５】
１５日間経過した後の生育状態を観察すると、実施例では、苗の軸長が４８．８ｍｍ、軸径が１．９ｍｍであるのに対し、比較例では、軸長が５９．１ｍｍ、軸径が１．６ｍｍであった。また、実施例では、軸が短く、葉の成長も早く、本葉も出ているのに対し、比較例では、軸が長く、苗の成長もやや遅く、子葉だけで本葉が見られなかった。これらの結果から、本発明の植物生育装置１を用いると、苗の生育を早くすることができることがわかる。
【００６６】
以上に開示された実施の形態と実施例はすべての点で例示であって制限的なものではないと考慮されるべきである。本発明の範囲は、以上の実施の形態と実施例ではなく、特許請求の範囲によって示され、特許請求の範囲と均等の意味および範囲内でのすべての修正と変形を含むものである。
【産業上の利用可能性】
【００６７】
簡単な構成で風の対流を生育室内に形成することができ、これにより、生育室内に空気ファンを設けないで、生育室内の温度を均一化することが可能となるので、家庭用または実験用に適した植物生育装置を得ることができる。
【符号の説明】
【００６８】
１：植物生育装置、１０：筐体、１２：第１の外壁、１３：第２の外壁、２０：扉、３０：生育室、４０：空気導入通路、５０：空気排出通路、６０：第１の隔壁、７０：第２の隔壁、８０：第１の開口群、９０：第２の開口群、１００：第３の開口群、１３４：ファン。
【図１】
2012055170.tif 000007
【図２】
2012055170.tif 000008
【図３】
2012055170.tif 000009
【図４】
2012055170.tif 000010
【図５】
2012055170.tif 000011
【図６】
2012055170.tif 000012
【図７】
2012055170.tif 000013